Podtech/llm-jp-corpus-v4-ja_patent huggingface dataset:
(57)【要約】      （修正有）【課題】携帯情報端末機・携帯電話機・スマートフォン・ノート型パソコン・デスクトップ型パソコンのモニター周辺、自動車の車内、手帳・箱型筆入れ等の文具、洗面台・浴室等の部屋の壁面に接着しておいて、コンパクトミラーの代わりに自分の顔を見ることのできる接着型スライドミラーを提供する。【解決手段】背面に剥離紙に覆われた両面テープが粘着され表面に鏡板４が内蔵された本体２と、該本体２と同型であって表面に刻印や装飾が施された蓋体１と、本体２と蓋体１に、蓋体１を本体２に対して横方向にスライドして開閉自在にするカシメ部３と、を備えた本体２、蓋体１、カシメ部３は、金属、ＡＢＳ樹脂、ポリプロピレン、ＰＥＴ、アクリル、ＡＳ樹脂のいずれかで形成され、任意の形状、任意の色、蓋体表面部分を刻印など任意の装飾に形成することが可能である。【選択図】図１
0003209000.tif 000002
【実用新案登録請求の範囲】
【請求項１】
背面に剥離紙に覆われた両面テープが粘着され表面に鏡板が内蔵された本体と、
該本体と同型であって表面に刻印や装飾が施された蓋体と、
前記本体と前記蓋体に、前記蓋体を前記本体に対して横方向にスライドして開閉自在にするカシメ部と、
を備えたことを特徴とする接着型スライドミラー。
【請求項２】
請求項１に記載の接着型スライドミラーにおいて、
本体、蓋体、カシメ部は、金属、ＡＢＳ樹脂、ポリプロピレン、ＰＥＴ、アクリル、ＡＳ樹脂のいずれかで形成され、任意の形状、任意の色、蓋体表面部分を刻印など任意の装飾に形成することが可能であることを特徴とする接着型スライドミラー。
【考案の詳細な説明】
【技術分野】
【０００１】  本考案は携帯情報端末機・携帯電話機・スマートフォン・ノート型パソコン・デスクトップ型パソコンのモニター周辺、自動車の車内、手帳・箱型筆入れ等の文具、洗面台・浴室等の部屋の壁面に接着しておいて、コンパクトミラーの代わりに自分の顔を見ることのできる接着型スライドミラー。さらに蓋面表面に刻印、装飾等を施すことによって、携帯電話・スマートフォン、文具、室内壁面を装飾することが可能な接着型スライドミラーに関する。
【背景技術】
【０００２】  特許文献１に記載の携帯電話取り付けミラーは、携帯電話の裏面に、開閉式の鏡を取り付けたものであり、外出時でも、必要な時は、携帯電話を取り出してコンパクトの代わりに使用することが可能である。また、蓋には、キャラクターや写真のシールを差し替えることで、単純な形状をした携帯電話を興趣あるグッズとすることができた。
【先行技術文献】
【０００３】
【特許文献１】  実用新案登録第３１０７７５２号
【考案の概要】
【考案が解決しようとする課題】
【０００４】  上述した携帯電話用鏡は、使用上は便利であり、有用なものである。しかしながら、蓋体の開閉構造から厚みがある。そこで、本考案は、蓋体の開閉構造改善することで、接着型ミラーを薄くすることを目的とした。
【課題を解決するための手段】
【０００５】  上記課題を解決するために、本考案は、背面に剥離紙に覆われた両面テープが粘着され表面に鏡板が内蔵された本体と、該本体と同型であって表面に刻印や装飾が施された蓋体と、前記本体と前記蓋体に、前記蓋体を前記本体に対して横方向にスライドして開閉自在にするカシメ部とを備えたことを特徴とする。カシメを軸として本体に対して蓋体を横方向にスライドさせて開閉させることで厚みを解消し、全体を薄型にすることを可能にする。
【考案の効果】
【０００６】  以上述べたように、本考案によれば、本体背面の剥離紙をはがして携帯情報端末機・携帯電話機・スマートフォン・ノート型パソコン・デスクトップ型パソコンのモニター周辺、自動車の車内、手帳・箱型筆入れ等の文具、洗面台・浴室等の部屋の壁面に押圧することで本体が取り付けられる。鏡面を使用する場合は蓋面を横にスライドさせて鏡面を現すことで使用可能となる。鏡面の不使用時は蓋体を閉じておくことで蓋体に施された刻印や装飾によって、興趣にとんだアクセサアリーとして使用することができる。
【図面の簡単な説明】
【０００７】
【図１】  本考案に係る接着型スライドミラーの蓋体を開いた状態の外観を示す正面図である。
【図２】  本考案に係る接着型スライドミラーの蓋体を閉じた状態の側面図である。
【考案を実施するための形態】
【０００８】  接着型スライドミラー本体背面の剥離紙をはがして携帯情報端末機・携帯電話機・スマートフォン・ノート型パソコン・デスクトップ型パソコンのモニター周辺、自動車の車内、手帳・箱型筆入れ等の文具、洗面台・浴室等の部屋の壁面に押圧することで本体が取り付けられる。鏡面を使用する場合は蓋面を横にスライドさせて鏡面を現すことで使用可能となる。鏡面の不使用時は蓋体を閉じておくことで蓋体に施された刻印や装飾によって、興趣にとんだアクセサアリーとして使用することができる。
【実施例】
【０００９】  以下、添付図面に従って一実施例を説明する。１は金属、ＡＢＳ樹脂、ポリプロピレン、ＰＥＴ、アクリル、ＡＳ樹脂のいずれかで形成され、表面に刻印、装飾等が施された蓋体、２は同じく金属、ＡＢＳ樹脂、ポリプロピレン、ＰＥＴ、アクリル、ＡＳ樹脂のいずれかで形成され、鏡板が内蔵された本体。１の蓋体と２の本体は、３のカシメ部によって結合され、３のカシメ部は１の蓋体が２の本体から横方向にスライドして開閉されることを可能にする。２の本体背面には５の剥離紙に覆われた両面テープが粘着され、携帯情報端末機・携帯電話機・スマートフォン・ノート型パソコン・デスクトップ型パソコンのモニター周辺、自動車の車内、手帳・箱型筆入れ等の文具、洗面台・浴室等の部屋の壁面に接着することを可能にしている。
【産業上の利用可能性】
【００１０】  本考案は携帯情報端末機・携帯電話機・スマートフォン・ノート型パソコン・デスクトップ型パソコンのモニター周辺、自動車の車内、手帳・箱型筆入れ等の文具、洗面台・浴室等の部屋の壁面以外にも、表面が平坦で滑らかな面を持つもの等に使用することが可能である。
【符号の説明】
【００１１】  １  蓋体
２  本体
３  カシメ部
４  鏡板
５  両面テープ
【図１】
0003209000.tif 000003
【図２】
0003209000.tif 000004
(57)【要約】      （修正有）【課題】自然にゆるまないようにしたボルト及びナットを提供する。【解決手段】ナット及びボルトのねじ山をほんの少し規格よりも大きくしてきつくなるようにし、最初の一回し程度は規格どうりのねじ山にして取り付けやすくした構造を特徴とする。【選択図】図３
0003208992.tif 000002
【実用新案登録請求の範囲】
【請求項１】
本案はボルトのねじ山を  先端の一回り程度を通常規格の形状とし、それ以降のねじ山を規格よりほんの少し大きくした形状のきつめのボルト。
【請求項２】
本案はナットのねじ山の一端の一回り程度を通常規格の形状とし、それ以降のねじ山をほんの少し大きくした形状のきつめのナット。
【考案の詳細な説明】
【技術分野】
【０００１】  本案はボルトとナットがゆるまないよう工夫したナットおよびボルトの考案である。
【背景技術】
【０００２】従来  ナットが自然にゆるまないようにするために  ナットを二重にしたり  ナットに何かを付けたりして  ゆるまないようにしていた、また  ねじ山そのものを規格より少し大きくしてはずれないようにしたナット及びボルトはなかった。
【考案の明示】
【考案が解決しようする課題】
【０００３】本案はボルトとナットを強力に密着させるのに  ナットを二重にしたりナットに何かを付けないで密着固定させる構造で  なおかつ  締め込む前に簡単にボルトのねじ溝にナットのねじ山が合わせる事が出来る構造である。
【課題を解決するための手段】
【０００４】
【考案の効果】
【０００５】本案はナットおよびボルトのねじ山の形状を工具できつくても  締め込める程度に規格より少し大きくし、最初の一回し程度は指で回せる程度の小さめのねじ山とした構造の  きつめのナットおよびきつめのボルトで  本案を使用する事により従来のナットより強力にボルトに密着するので  ゆるみにくくなる、また外そうと思えば工具を使って簡単に外すことが出来る
【考案を実施するための最良の形態】
【０００６】本案を使用する時はボルトにナットを  最初指で一回して取り付ける、その後スパナ等の工具を使って強く締め付ける。
【図面の簡単な説明】
【０００７】
【図１】本考案ナットの断面図
【図２】本考案ナットの正面図
【図３】本考案ボルトの側面図
【０００８】▲１▼ナット                  ▲２▼通常規格のねじ山
▲３▼通常規格のねじ山より少し大きくしたねじ山      ▲４▼ボルト
【図１】
0003208992.tif 000003
【図２】
0003208992.tif 000004
【図３】
0003208992.tif 000005
(57)【要約】      （修正有）【課題】火起こしと火消しが簡単な操作にて行える火起こし器を兼ねた火消し壺を提供する。【解決手段】壺桶の中間下に上下２枚合わせの底板３ａ、３ｂを設けて、一方を回動することで上下の通気口４ａ、４ｂを開閉する。底板下に着火用の紙片を置き入れする空間１ａと空気取入孔１ｂを周設するのが好ましい。【選択図】図１
0003208981.tif 000002
【実用新案登録請求の範囲】
【請求項１】
壺桶の底板を通気口をそれぞれに有す２枚重ねにして且つ上下一方の底板を回動可能に構成して、上下一方の底板の回動により上下の通気口を連通し、または閉塞することにより火起こしと火消しの双方を行えるようにしたことを特徴とする火起こし器を兼ねた火消し壺。
【請求項２】
２枚の重ね底板を壺桶の下部中間に設けて、該底板下に着火用の紙片等を置き入れする空間と空気取入孔を周設した請求項１に記載の火起こし器を兼ねた火消し壺。
【考案の詳細な説明】
【技術分野】
【０００１】
この考案は野外の炭火バーベキューに携行することを主とした火起こし器を兼ねた火消し壺に関するものある。
【背景技術】
【０００２】
この種の考案としては実用新案登録第３１８３２４８号公報がある。この公報は壺内に横架する火格子の多数孔から落ちる灰を受け止める下蓋を開閉自在にて設けたことを記載している。
【特許文献１】実用新案登録第３１８３２４８号公報
【考案の開示】
【考案が解決しようとする課題】
【０００３】
しかしながら、上記の公報は火起こし時に下蓋を開き、火消し時に下蓋を戻し閉じするという手間がかかり、しかも加熱により下蓋の開閉が容易でないという課題がある。
【課題を解決するための手段】
【０００４】
本考案は火消し壺の底板を通気口をそれぞれに有す２枚重ねにして且つ上下一方の底板を回動して上下の通気口を合わせて開き、ずらして閉塞するという簡単な操作にて火起こしと火消しの双方を行えるようにして、上記した課題を解決するようにしたのである。
【考案の効果】
【０００５】
本考案は、２枚重ねの底板の一方を回動するという簡単な操作にて加熱による影響を受けずに火起こし器と火消し壺の双方に使用することができるという効果を生ずる。
【０００６】
また、２枚の重ね底板下に着火用の紙片等を置き入れする空間と多数の空気取入孔を設けることで火起こしが容易になるという効果を生ずる。
【図面の簡単な説明】
【０００７】
【図１】本考案の1実施例を示す透視斜視図
【図２】（ａ）は２枚の底板を重ね合わせ前の状態にて示す斜視図、（ｂ）は同、重ねた状態を示す斜視図
【図３】（Ａ）は通気口を合わせて通気するようにした火起こし器として使用する状態を示す図で、（ａ）は同、底板部分の平面図、（Ｂ）は通気口をずらして閉じた火消し壺として使用する状態を示す斜視図、（ｂ）は同、底板部分の平面図
【図４】火起こし器として、空間に置き入れた紙片などを燃やして底板上に載せ入れた木炭に着火する使用状態を示す断面図
【符号の説明】
【０００８】
１は壺桶
１ａは空間
１ｂは空気取入孔
２は蓋体
３ａ，３ｂは上下２枚重ねの底板
４ａ，４ｂは大小の通気口
５は操作片
５ａはガイド孔
６は蓋体上の把手
７ａは突子
７ｂは曲がり穴
８ａ，８ｂは持ち運び用の提手
９は取付板
Ｍは木炭
Ｓは紙片等
【考案を実施するための最良の形態】
【０００９】
本考案は、火消し壺の底板を通気口をそれぞれに対称して有す２枚重ねにて形成し、上下一方の底板を往復回動して上下の通気口を合わせて開き、ずらして閉塞するようにして火起こし器と火消し壺の双方に使用することができるようにする。
【実施例１】
【００１０】
図１乃至図４は本考案の実施例であって、縦長の円筒形をした壺桶１の上端に蓋体２を着脱自在にて被せ、中間下に底板３ａ，３ｂを横架する。底板３ａ，３ｂは上下２枚重ねにてなり、それぞれに同一形の大小の通気口４ａ，４ｂを放射状に揃えて形成している。
【００１１】
上側の底板３ａは壺桶１の内側に固定し、下側の底板３ｂは回動自在としている。下側の底板３ｂは壺桶１に設けたガイド孔５ａから外表に向けて短く突出する操作片５を有して、この操作片５を操作して下側の底板３ｂを回動して通気口４ａ，４ｂを上側の通気口４ａ，４ｂ間の間にずらして通気口４ａ，４ｂを閉塞することで火消しに役立てることとなり、戻し回動して上下の通気口４ａ，４ｂを一致させて通気すると火起こしに役立てることとなる。
【００１２】
なお６は蓋体２上の把手、７ａ，７ｂは蓋体２を止め作用する突子と曲がり穴、８ａ，８ｂは壺桶１の側面に回動自在にて取付ける壺桶１を持ち運びするための提手、９はその取付板である。
【００１３】
火起こしするときは、図３（Ａ）（ａ）および図４に示すように壺桶１より蓋体２を外し、底板３ａ上に木炭Ｍを載せ入れて、上下の通気口４ａ，４ｂを合わせて通気するようにして底板３ｂ下の空間１ａ内に着火用の紙片Ｓなどを入れて紙片Ｓなどに火をつけて着火するのである。
【００１４】
紙片Ｓなどは周設する多数の空気取入孔１ｂから取入れられる空気により燃え上がって底板３ａ上の木炭Ｍを容易に着火させ火起こしすることとなって、図示していないバーベキューコンロの火床に炭火として供給することができることとなる。
【００１５】
火消し壺として使用するときは着火している木炭Ｍを壺桶１の底板３ａ上に入れ、図３（Ｂ）に示すように蓋体２を被せ、図３（ｂ）に示すように上下の通気口４ａ，４ｂをずらして閉塞して密閉することで確実に火消しすることができることとなる。
【００１６】
保管時には提手８ａ，８ｂを回動して壺桶１の側面に沿わせて嵩ばらないようにすることができる。
【００１７】
また、底板３ａを往復動させる操作片５のガイド孔５ａは、図３各図に示すように上下の通気口４ａ，４ｂを確実に開閉することができるように長さを設定して操作片５をガイド孔５ａの左右端に当て止めすることで上下の通気口４ａ，４ｂを確実に開，閉するようにしている。
【００１８】
本考案の火消し壺は、炭火の量に対応して大、中、小などの各種にて形成することができる。
【産業上の利用可能性】
【００１９】
本考案は火起こしと火消しの双方を簡単な操作にて切り替え使用することで広く利用されるものである。
【図１】
0003208981.tif 000003
【図２】
0003208981.tif 000004
【図３】
0003208981.tif 000005
【図４】
0003208981.tif 000006
【手続補正書】
【提出日】平成28年12月14日(2016.12.14)
【手続補正１】
【補正対象書類名】実用新案登録請求の範囲
【補正対象項目名】全文
【補正方法】変更
【補正の内容】
【実用新案登録請求の範囲】
【請求項１】
壺桶の底板を通気口をそれぞれに有す２枚重ねにして且つ上下一方の底板を回動可能に構成して、上下一方の底板の回動により上下の通気口を連通し、または閉塞することにより火起こしと火消しの双方を行えるようにしたことを特徴とする火起こし器を兼ねた火消し壺。
【請求項２】
２枚の重ね底板を壺桶の下部中間に設けて、該底板下に着火用の紙片を置き入れする空間と空気取入孔を周設した請求項１に記載の火起こし器を兼ねた火消し壺。
(57)【要約】      （修正有）【課題】増毛の場所を決定し、増毛の均一性が向上する増毛作業用保持具を提供する。【解決手段】頭髪に固定するために背面に帯ファスナー３を保有する固定部分１、および作業を順序よく進めるためのスライド部分２とからなる。これにより場所の特定および固定、増毛した毛の処理が円滑になり、作業性、均一性を向上させることができた。【選択図】図１
0003208986.tif 000002
【実用新案登録請求の範囲】
【請求項１】
２つの固定部分と、その間にスライドする部分を持つことを特徴とする増毛作業用保持具。
【請求項２】
固定部分の背面には、頭髪に絡ませて器具を固定することを目的とする帯ファスナーを有していることを特徴とする増毛作業用保持具。
【考案の詳細な説明】
【技術分野】
【０００１】  増毛は美容のみならず、容姿の維持のためにも必要とされ、いろいろと工夫されながらその技術は次第に向上しており、自然に見えることなどが要求される。従ってその増毛の技術を高めることが必要であるが、そのためには色々な器具が発案されて利用されてきている。
【背景技術】
【０００２】  増毛をする場合には、均一な増毛が要求される。すなわち、例えば１０００本の増毛をする場合、ある場所を特定して増毛するということをしてしまえば均一性が損なわれ、不自然な状況になってしまう。【０００３】  従って、ある場所を特定して増毛するという場合もある。例えば頭頂部を増毛したいという場合、その部分はもちろん増毛作業を行うが、その周辺部分との調整が必要であり、境界の作業が一つの重要な技術になる。【０００４】  その均一性を実現する必要がある。
【課題を解決する手段】
【０００５】  従来は、作業者の勘に頼る傾向があり、そのために技術者によっての出来栄えが異なるのがつねであった。これを解決する方法として、増毛作業において標準となる機材があれば、その作業者によって変わってしまうことを少しでもさけることができると考えられる。
【０００６】  そのための方法として提案するのが増毛作業用保持具であり、その構成としては頭髪に絡ませて固定する部分と、スライドさせることによって作業位置を変化させる部分とから構成される。
【０００７】  その使用方法としては、まず作業する場所を決定して、固定する部分を設定する。しかる後にスライド部分を設定して増毛作業を開始する。その作業場所は、スライド部分の片方で行うこととし、その列の作業が終了したらスライド部分を一定の距離分スライドさせることによって次の作業場所を決定する。
【０００８】  増毛作業を終了した部分には、新たに増えた毛が存在して、場合によっては次の作業のさまたげになる。しかし、このスライド部分から離れた方向に毛をなびかせることによって次の作業場所は隠れることがなくなるので、次の作業場所でもスムーズに増毛作業が行えるということになる。
【０００９】  スライド部分の形状としては、直線でもよく、あるいは曲線、場合によっては波型であってもよく、均一性を向上させるための工夫が可能である。
【００１０】  固定する部分については、その下部には帯ファスナーが取り付けられでおり、これによって頭髪を捉えて固定される。従って、ある程度の量の毛髪が存在することが必要になる。
【００１１】  スライドさせるステップを一定にする必要がある場合には固定部分の端部にメジャー用の目盛りが施されても良い。これによってスライドの送りピッチを一定に保持することが可能になる。
【考案の効果】
【００１２】  従来の方法によれば、増毛した部分に付与された毛が邪魔になり、次の作業の妨げになることが多かった。そのために増毛の均一性が保たれなくなるとともに、作業効率が悪いという弱点があった。しかしながらこの器具の導入によって増毛部分の処理が簡単になり、従って増毛の均一性が向上するとともに作業時間の短縮が実現できた。
【００１３】  そのような効果により、作業者の育成が短時間で実現されるとともに、作業者間の差異が著しく減殺され、客の評判も良くなるという結果が得られた。
【実施例１】
【００１４】  従来、１０００本の増毛作業に必要な時間は２５分程度を要していたが、この機材を導入することによって２０分程度に短縮できた。
【実施例２】
【００１５】  この方法で増毛した場合の均一性が優れることから客受けが非常によく、評判を呼んでいる。
【図面の簡単な説明】
【００１６】
【図１】  増毛作業用保持具の正面図および断面図
【符合の説明】
【００１７】  １  固定部分
２  スライド部分
３  帯ファスナー
４  スライド用接続部
【図１】
0003208986.tif 000003
(57)【要約】      （修正有）【課題】夜間、コンテナ停泊中を問わず２４時間のコンテナ内の空気を強制的に換気することによって、コンテナ内の温度と湿度を外気の状態と同一の状態に保持する鉄道貨物輸送用コンテナを提供する。【解決手段】コンテナ上部４の位置にソーラーパネルを設置し、これにより発電した電力を蓄電池１に充電し、その電力を電源として換気扇を稼働させる。太陽光のない夜間や、コンテナ停泊中であっても、蓄電池に充電した電源を利用して２４時間換気扇を稼働させることができ、コンテナ内の温度と湿度を外気の状態と同一の状態に保つことが可能となる。【選択図】図３
0003208985.tif 000002
【実用新案登録請求の範囲】
【請求項１】
コンテナ上部に設置したソーラーパネルにより発電した電力を、同コンテナ内に設置した蓄電池に充電し、その蓄電池から給電される電力を電源として、２４時間、同コンテナ内に設置した換気扇を稼働させコンテナ内の空気を強制的に換気し、コンテナ内の温度と湿度を外気の状態と同一の状態に保つことを可能とする鉄道貨物輸送用コンテナ
【考案の詳細な説明】
【技術分野】
【０００１】  本考案は、鉄道貨物輸送用コンテナに設置したソーラーパネルによって発電した電力を、同鉄道貨物輸送用コンテナ内に設置した蓄電池に充電し、その蓄電池に充電した電力を電源として同鉄道貨物輸送用コンテナ内の空気を強制的に換気することにより、輸送中のコンテナ内の温度と湿度を外気の状態と同一の状態に保持することを可能にする鉄道貨物輸送用コンテナに関するものである。
【考案の概要】
【考案が解決しようとする課題】
【０００２】  現在、鉄道貨物輸送用コンテナ内部の空気を換気する方法は、コンテナの側面に換気口を設け、輸送走行中に、換気口からの自然風を通風させる方法により行われている。この方法によると、走行中は、換気口から自然風を通風させることができるが、鉄道貨物輸送用コンテナが停泊中には、通風させることができず換気できなかった。
また、コンテナの上面にソーラーパネルを設置し、太陽光を利用して電力を発電し、その電力を利用して換気する方法は、太陽光のない夜間も輸送に供することが多い鉄道貨物輸送には、夜間の間、電力を利用できないという問題があった。
【課題を解決するための手段】
【０００３】  本考案は、コンテナ上面に、ソーラーパネルを設置し、ソーラーパネルが太陽光を受け発電した電力を、同コンテナ内に設置した蓄電池に充電することにより、太陽光がない夜間においても、蓄電池に充電した電力を電源として換気扇を稼働することができ、これにより、夜間、コンテナ停泊中を問わず２４時間、コンテナ内の空気を強制的に換気することが可能となり、上記問題点を解決している。【０００４】  コンテナ内の温度と湿度を外気の状態と同一の状態に保持する目的で、コンテナの外部壁面に、太陽光高反射・遮熱塗料の効果がある白色のウレタン塗料を塗布するとともに、コンテナ内部壁面には、防湿、防菌、防カビ用の塗料を塗布し、これにより、コンテナ内の温度と湿度を外気の状態と同一の状態に保持することが可能になった。
【考案の効果】
【０００５】  上述のとおり、本考案のソーラーパネルにより発電し蓄電池に充電した電力を電源として換気扇を稼働させる鉄道貨物輸送用換気コンテナは、太陽光のない夜間や、コンテナ停泊中であっても、電源を利用して２４時間換気扇を稼働させることができ、コンテナ内の温度と湿度を外気の状態と同一の状態に保持することが可能となった。
【考案を実施するための形態】
【０００６】  コンテナ上部に設置したソーラーパネルにより太陽光を利用して、太陽光のある日中に電力を発電し、発電した電力を同コンテナ内に設置した蓄電池に充電する。同蓄電池から、同鉄道貨物輸送用コンテナ内に設置した換気扇に給電し、これを電源として同換気扇を稼働させることにより、夜間やコンテナ停泊中を問わず２４時間、コンテナ内の強制的な換気を行うことが可能になった。
【実施例】
【０００７】  以下、添付図面に従って実施例を説明する。
図１は、ソーラーパネルにより発電した電力を充電した蓄電池を電源とした鉄道貨物輸送用換気コンテナの正面図であるが、同鉄道貨物輸送用コンテナ上部の１の位置に蓄電池を設置している。同コンテナ２の位置に、同コンテナの吸気口を設けている。【０００８】  図２は、同コンテナの背面図であるが、３の位置に換気扇を設置し、図１の１の位置に設置した蓄電池から給電された電力を使用して、換気扇を稼働させ、コンテナ内の空気を強制的に排気する。【０００９】  図３は、同コンテナの上面図であるが、４の位置に設置したソーラーパネルにより太陽光を利用して発電し、この電力を１の位置の蓄電池に充電する。５の位置には、換気扇の稼働をコントロールする制御ボックスを設置する。
なお、コンテナの外部壁面には、太陽光高反射・遮熱塗料である超微粒子真球無孔質ファインセラミックスを塗布している。
【図面の簡単な説明】
【００１０】
【図１】ソーラーパネルにより発電した電力を充電した蓄電池を電源とした鉄道貨物輸送用換気コンテナの正面図である。
【図２】同コンテナの背面図である。
【図３】同コンテナの上面図である。
【符合の説明】
【００１１】  １    蓄電池の設置位置
２    吸気口の位置
３    換気扇の設置位置
４    ソーラーパネル設置位置
５    制御ボックス
【図１】
0003208985.tif 000003
【図２】
0003208985.tif 000004
【図３】
0003208985.tif 000005
(57)【要約】      （修正有）【課題】自転車の夜間走行において一旦停車等の一時的な自転車停止時においても自転車の存在を示す方法として、自転車発電機の交流電力の一部を整流装置により直流に変換し、蓄電する自転車用蓄電装置と表示器を組み合わせた自転車表示装置を提供する。【解決手段】既存の自転車発電機１を電源とし、一部を直流に変換して蓄電することにより、一時的な自転車停止時にも自光表示器１２、自光・地面照射表示器１３、リムりん光表示器１４、ファイバ光表示器１５等の表示を持続させ、前方や側方や後方に対して自転車の存在を示す。小型軽量で発電機を有する全ての自転車に装着可能となる。【選択図】図７
0003208989.tif 000002
【実用新案登録請求の範囲】
【請求項１】
自転車発電機の交流電力の一部を整流装置により直流に変換し、蓄電する自転車用蓄電装置と表示器を組み合わせた自転車表示装置。
【請求項２】
自転車発電機の交流電力の全てを整流装置により直流に変換し、蓄電する自転車用蓄電装置と表示器を組み合わせた自転車表示装置。
【考案の詳細な説明】
【技術分野】
【０００１】  本考案は、自転車の安全装置に関するものである。
【背景技術】
【０００２】  警察庁の自転車安全利用五則（平成１９年７月１０日交通対策本部決定より）により自転車は、車道が原則、歩道は例外と位置づけられている。道路交通法が改正により、軽車両として本来通行すべき車道を走ることの義務が明確に強調された。しかし、自転車が車道を走行する場合、特に夜間に走行する場合は自動車からの確認が難しく危険が多い。現在は全ての自転車の後部には赤色の後方反射板をつけることが義務づけられている。
（財）交通事故総合分析センターＩＴＡＲＤＡ  ２０１１によると夜間における自転車事故の８７％が「発見の遅れ」とされている。
自転車発電機の電力を、前照灯に影響を与えない程度に使用し、自転車の走行時に、側面からの認識を高めるため、紫外線等のＬＥＤを使用する発明や、後方からの認識を高めるため、ＬＥＤの自光や地面照射等の考案は存在するが、いずれも自転車を停車させた場合に発電機からの電力は停止してしまう。
【先行技術文献】
【特許文献】
【０００３】
【特許文献１】登録実用新案第３１８５５２８号公報
【特許文献２】登録実用新案第３１９３４９２号公報
【特許文献３】登録実用新案第３３０３４０８号公報
【考案の概要】
【考案が解決しようとする課題】
【０００４】  特許文献１至３のような自転車表示器が考案されている。しかし、自転車の停車により、自転車発電機の回転が停止し、前照灯を含む表示器への電力が停止するため、一旦停止や信号待ち時に表示器が消えてしまう課題があった。
【課題を解決するための手段】
【０００５】  自転車の発電機交流出力の一部又は全てを、整流し、蓄電装置に蓄電し、又は蓄電と同時に前照灯や安全のための表示器に提供する。すなわち本考案は以下の通りである。
１．自転車発電機の交流電力の一部を整流装置により直流に変換し、蓄電装置に蓄電する自転車用蓄電装置と表示器を組み合わせた自転車表示装置。
２．自転車発電機の交流電力の全てを整流装置により直流に変換し、蓄電装置に蓄電する自転車用蓄電装置と表示器を組み合わせた自転車表示装置。
【考案の効果】
【０００６】  本考案は、自転車の停止に伴う自転車発電機の停止により、表示器への電力が停止してしまうことに対して改善される。自転車が一旦停止が必要な場所で停止する時間は数秒である。信号機や踏切での停止する時間は数分である。本考案は、この時間において表示器に電力を供給することが可能である。
【図面の簡単な説明】
【０００７】
【図１】自転車発電機と前照灯
【図２】構成例１
【図３】構成例２
【図４】整流装置例
【図５】蓄電装置例
【図６】自転車蓄電装置による表示器例
【図７】自転車用蓄電装置と表示器を組み合わせた自転車表示装置の装着例
【考案を実施するための形態】
【０００８】  以下、本考案を実施形態に従って説明する。
図１に自転車発電機と前照灯の配線を示す。自転車発電機は一般に交流電力を発生する装置である。前照灯の内部回路により、交流用電球に交流を供給するタイプと、整流回路を用いて整流し、直流用電球やＬＥＤに直流を供給するタイプがあるが、いずれも自転車発電機から前照灯までは交流により配線されている。
図２に構成例１を示す。図１に示す自転車発電機の出力配線を分岐し、整流装置及び蓄電装置を配置する。さらに、蓄電装置から各種の表示器に配線する。各種の表示器に電力を供給することにより前照灯への電力が減少することがないよう、整流装置には電流制限用抵抗を接続する。
図３に構成例２を示す。図１に示すの自転車発電機の出力配線に、整流回路及び蓄電装置を配置する。さらに、蓄電装置から前照灯を含む各種の表示器に配線する。各種の表示器には電流制限用抵抗を挿入する。構成例２の場合は、前照灯は直流駆動タイプを用いる必要が生じるほか、蓄電装置も大きなものが必要となり、充電が充分でない場合は前照灯はじめ各表示器の動作が行われない場合もあるため、構成例１の方が簡易な構成が可能である。ここからは構成例１について具体的に説明をする。
図４に整流装置例を示す。整流回路はダイオード１本による半波整流回路やダイオード４本による全波整流回路等、またはブリッジ型全波整流回路が使用可能であり、出力側には表示器全体の電流を制限し、前照灯への電力が減少しないように、表示器全体電流制限用抵抗を挿入する。実証実験では整流装置に整流用ダイオード４本であっても、ブリッジ型であっても同様であったが、整流装置を小型にするためにはブリッジ型が向いており、１００Ωを使用した表示器全体電流制限用抵抗とともに、フィルムケースのようなプラスチックケースに収め、熱溶融形接着剤で固定した。
図５に蓄電装置例を示す。自転車発電機の無負荷電圧が２０Ｖ程度になるため、蓄電装置の耐圧は２０Ｖ程度が望ましい。小型軽量にするためには、１Ｆ（ファラド）〜数Ｆ（ファラド）程度のものを単体又は並列にして使用する。実証実験では１Ｆのコンデンサを単独で接続し、表示器を数分駆動させることができた。
図６に自転車用蓄電装置と表示器を組み合わせた自転車表示装置の装着例を示す。実証実験により、前照灯に支障がない状態で、４か所７本のＬＥＤを駆動できることを確認した。
【符号の説明】
【０００９】１  自転車発電機、２  前照灯、３  整流装置、４  蓄電装置、５  表示器、６  整流用ダイオード、７  表示器全体電流制限用抵抗、８  ブリッジダイオード、９  コンデンサ、１０  発光ダイオード（ＬＥＤ）、１１  電流制限用抵抗、１２  自光表示器、１３  自光・地面照射表示器、１４  リムりん光表示器、１５  ファイバ光表示器
【図１】
0003208989.tif 000003
【図２】
0003208989.tif 000004
【図３】
0003208989.tif 000005
【図４】
0003208989.tif 000006
【図５】
0003208989.tif 000007
【図６】
0003208989.tif 000008
【図７】
0003208989.tif 000009
(57)【要約】      （修正有）【課題】プラスチック製広幅で、厚みのある、長尺第一パネルと第二パネルに挟まるように、プラスチック製長尺な凸型チャツクと、凹型チャックが噛み合った状態で、チャック周辺を容易に所定の位置に熱接着できる容器用チャックガイドを提供する。【解決手段】チャックガイド１の中部を、進行方向に、左右にチャックの噛み合わせ部幅に切り開き、切り開き部２の元部にチャック部全体が通る切り開き部３を設ける。凸型チャックと凹型チャック噛み合い部をチャックガイドの厚み４によって、補助することにより、チャックの底辺を均一に熱接着することが出来る。チャックガイドに、上下プレス接着時の熱を強制冷却するために強制冷却部１６を設けるのが好ましい。【選択図】図１
0003208932.tif 000002
【実用新案登録請求の範囲】
【請求項１】
プラスチック製広幅で、厚みのある、長尺第一パネル５と第二パネル６に挟まるように、プラスチック製長尺な凸型チャツク８と、凹型チャツク９が噛み合った状態で、所定のパネル位置に熱接着することにおいて、チャツクガイド１の平面を進行方向に中部を、進行方向に、チャツク噛み合わせ部幅２に切り開く、切り開き部の元部３を、噛み合わせチャツク部全体が通る切り開き部３を設けた、一平面の、チャツクガイド。
【請求項２】
凸型チャツク８と凹型チャツク９と噛み合いの高さ１０に、チャツクガイドの厚１３みによって、チャツク底辺１１，１２を熱接着時に補助する、チャツクガイド。
【請求項３】
チャツクガイドを熱接着部の、上下プレス接着時の熱を強制冷却するための強制冷却部１６を設けた、チャツクガイド。
【考案の詳細な説明】
【考案の開示】
【考案が解決しようとする課題】
【０００１】  プラスチック製広幅で、厚みのある、長尺第一パネル５と第二パネル６に挟まるように、プラスチック製長尺な凸型チャツク８と、凹型チャツク９が噛み合った状態で、パネルの所定位置に熱接着することを解決の課題とする。【０００２】  凸型チャツク８と凹型チャツク９と噛み合いの高さ１０に、チャツクガイドの厚１３みによって、チャツク底辺１１，１２を熱接着時に補助し均一に熱接着することを、解決の課題とする。【０００３】  チャツクガイドを熱接着部の、上下プレス接着時の熱を強制冷却することを、解決の課題とする。【０００４】
【考案が解決するための手段】
【０００５】  チャツクガイドを進行方向の中部より、進行方向に、左右にチャックの噛み合わせ部幅に、切り開く、切り開き部の元部をチャツク部全体が通る切り開き部を設けた、チャツクガイド、によつて、所定の位置に熱接着することが出来る。
【０００６】  凸型チャツクと凹型チャツク噛み合い部をチャツクガイドの厚みによつて、補助することが出来る、よって、チャツクの底辺が均一に熱接着することが出来る。
【０００７】  チャツクガイドを熱接着部の、上下プレス接着時の熱を強制冷却するために強制冷却部を設ける。
【考案の効果】
【産業上の利用可能性】
【０００８】  プラスチック製広幅で、厚みのある、長尺第一パネル５と第二パネル６に挟まるように、プラスチック製長尺な凸型チャツク８と、凹型チャツク９が噛み合った状態で、容易に所定の位置に熱接着することができる、一平面のチャツクガイドである。【０００９】  凸型チャツク８と凹型チャツク９と噛み合いの高さ１０に、チャツクガイドの厚１３みによって、チャツク底辺１１，１２を補助して、チャツクの底辺を均一に熱接着させるチャツクガイドである。【００１０】  チャツクガイドを熱接着部の、上下プレス接着時の熱を強制冷却するための強制冷却部１６を設けた、チャツクガイドである。
【考案の実施するための最良の形態】
【００１１】  以下、本方法の実施の形態を図面を参照しながら詳細に説明する。なお、以下の説明にあたって、同一構成要件については、同一符号を付けて、重複した説明を省略する。
【００１２】  プラスチック製広幅で、厚みのある、長尺第一パネル５と第二パネル６に挟まるように、プラスチック製長尺な凸型チャツク８と、凹型チャツク９が噛み合った状態で、第一パネルと第二パネルの所定の位置に熱接着することにおいて、チャツクガイド１を進行方向の中部より、進行方向に、左右にチャックの噛み合わせ部幅２に、切り開く、切り開き部の元部３をチャツク部全体が通る切り開き部を設けた、一平面チャツクガイド。
【００１３】  チャツクガイドの切り開き部の元部３より、噛み合わされたチャツク全体７を通して、チャツクを噛み合わさった状態７で、凸型チャツク部８の底辺部１１をチャツクガイドの上部に沿わして、凹型チャツク９の底辺部１２をチャツクガイドの下部に沿わして進行方向に進む、よつて、所定の位置にチャツクを進行さすことができる。
【００１４】  チャツクガイドの切り開き部幅２は、凸型チャツク８と凹型チャツク９と噛み合い部の幅に切り開いたチャツクガイドに、よって、チャツクの大きさに変更で出来る。
【００１５】  凸型チャツク８と凹型チャツク９と噛み合いの高さ１０の厚みによって、チャツクの底辺部７をチャツクガイド１３が補助することによって、底辺部１１，１２，を均一にプレス熱接着することができる。
【００１６】  第一パネル５と第二パネル６に挟まれた、凸型チャツク８と凹型チャツク９とチャツクガイド１を第一熱接着部１４と，第二熱接着部１５，によつて、上下プレスを行い、第一パネル５と第二パネル６に、挟まる形態で、凸型チャツク８と凹型チャツク９を噛み合わさった状態で熱接着を行う。
【００１７】  本考案は、プラスチックパネルに限定せず、紙、板等に使用する。さらに、厚み、幅にも限定しない。
【００１８】  熱接着部１４，１５をレーザー、高周波、超音波等を使用することもある。
【図面の簡単な説明】
【００１９】
【図１】チャツクガイドの正面図と側面図。
【図２】フイルムとチャツクと接着用熱板を示す説明図
【図３】凸型チャツクと凹型チャツクを示す説明図
【図４】チャツクガイドに凸型チャツクと凹型チャツクを挿入を示す説明図
【符号の説明】
【００２０】  １  チャツクガイド
２  噛み合わせ幅の切り開き部
３  切り開き部の元部
４  チャツクガイドの厚み
５  第一パネル
６  第二パネル
７  噛み合わさったチャツク
８    凸型チャツク
９  凹型チャツク
１０  チャツクの噛み合わせの高さ
１１    凸型チャツクの底辺
１２  凹型チャツクの底辺
１３  チャツクの噛みあわせ部を補助するチャツクガイド
１４  第一熱接着部
１５  第二熱接着部
１６  水冷式強制冷却装置
【図１】
0003208932.tif 000003
【図２】
0003208932.tif 000004
【図３】
0003208932.tif 000005
【図４】
0003208932.tif 000006
【手続補正書】
【提出日】平成28年10月31日(2016.10.31)
【手続補正１】
【補正対象書類名】実用新案登録請求の範囲
【補正対象項目名】全文
【補正方法】変更
【補正の内容】
【実用新案登録請求の範囲】
【請求項１】
チャツクガイド１の平面を進行方向に中部を、進行方向に、チャツク噛み合わせ部幅２に切り開く、切り開き部の元部３を、噛み合わせチャツク部全体が通る切り開き部３を設けた、一平面の、チャツクガイド。
(57)【要約】      （修正有）【課題】２つに分離、及び結合することのできる容器であって、片方ずつ開栓する事により、飲食物の温度変化を遅らせる事を可能とし、また２種類の違った飲食物の保存＆携帯を可能にする。【解決手段】円柱状の２つのボトルから成り、上下に配置・構成される容器であり、二つのボトルを上段になるボトルの内ネジと、下段になるボトルの外ネジにより結合、及び分離することができる。下段になるボトルの口栓は通常のペットボトルの蓋が使用可能なネジ式の栓である。【選択図】図１
0003208933.tif 000002
【実用新案登録請求の範囲】
【請求項１】
上下ボトルの内ネジ、外ネジにより、２つに分離、及び結合することのできる特徴をもつ容器である。
【請求項２】
片方のボトルの口栓は通常のペットボトルの蓋が使用可能である。
【考案の詳細な説明】
【技術分野】
【０００１】本考案は、食料や飲料用ボトルを分解＆結合させることのできる容器である。
【背景技術】
【０００２】
【先行技術文献】
特に携帯したボトルの飲料物を開栓し飲む毎に残っているものの炭酸の抜けや、温度変化が進み易く悩んでいた。
【特許文献】
【０００３】
【特許文献１】
【特許文献２】
【非特許文献】
【０００４】
【非特許文献１】
【非特許文献２】
【考案の概要】
【考案が解決しようとする課題】
【０００５】１，  必要以上に内容物を空気にふれさせる事なく飲み物の温度変化を遅らせたり、炭酸の抜けを遅らせたりする。
２，  ２種類の違った飲食物を保存＆携帯を可能にする。
【課題を解決するための手段】
【０００６】保存したい飲食物の量を２つに分け、それぞれを独立して保存＆携帯させるよう容器を２つにする。
【考案の効果】
【０００７】２つの容器をそれぞれ独立させることにより、飲み物の温度変化を遅らせたり、２種類の異なる飲み物を携帯させたりする事が可能になる。
上用ボトルの下部をもう片方のボトル肩部にねじ込み固定させることにより、同時に携帯＆持運びしやすくする事が可能になる。
【図面の簡単な説明】
【０００８】
【図１】完成図
【図２】上段ボトル
【図３】下段ボトル
【考案を実施するための形態】
【０００９】図１は容器ボトル上下の２つを連結させた図である。
ボトルは上段と下段の計２段に分かれている。
図２は上段用ボトル図面である。
上段には、水量を調整する役目と、氷ストッパーの役目をする内蓋、及びパッキングが内蔵されている。
上段用ボトルの下部は内ネジになっており、下段用ボトルと連結させる事が可能な構造である。
図３は下段用ボトルの図である。
飲料出し入れ口の蓋はペットボトルのキャップが栓として使用可能な構造である。また、肩部に上段用ボトルと連結させる為のネジがある。
【実施例】
【００１０】コーヒーとお茶、水とジュース、麺と麺つゆ、ヨーグルトとソースなど異なった種類の飲食物の保存＆持運びが可能。また、炭酸入りジュースを２分割して携帯し、順に使用することにより、必要以上の炭酸抜けを遅らせる。
【図１】
0003208933.tif 000003
【図２】
0003208933.tif 000004
【図３】
0003208933.tif 000005
【手続補正書】
【提出日】平成28年11月15日(2016.11.15)
【手続補正１】
【補正対象書類名】実用新案登録請求の範囲
【補正対象項目名】全文
【補正方法】変更
【補正の内容】
【実用新案登録請求の範囲】
【請求項１】
円柱状の２つのボトルから成り、上下に配置・構成される容器であり、二つのボトルを上段になるボトルの内ネジと、下段になるボトルの外ネジにより結合、及び分離することのできる特徴をもつ飲食物収容用途の容器。
【請求項２】
下段になるボトルの口栓は通常のペットボトルの蓋が使用可能なネジ式の栓である、請求項１に記載の容器。
(57)【要約】      （修正有）【課題】簡単に割れ、ピンポイントに、要部、恥部を濡らせられ、使用後、空容器と成った後も、粗大廃棄物としての煩わらしさからも解放され、購入から保管、携帯から使用、そして廃棄迄のサイクルを短くさせ、従前迄の各種負担的要素を軽減化させストレスフリー化を図れる１回分・使いきりタイプの潤滑ゼリー剤を提供する。【解決手段】蛍光色のパック１の底面をプラスチック板（底面）５で形成し、その底面５の中央面を横切り、割らせる割れ目２を設け、底面５の両端の指で力を伝えるポイント４を掴み割り開くことに因り、内包されている潤滑ゼリー剤３を、外に放出させ、潤わせたい体の部位を直接的に濡らせる。【選択図】図１
0003208940.tif 000002
【実用新案登録請求の範囲】
【請求項１】
コンビニエンスストアなどで、販売されているビッグフランクソーセージに、サービスとして付いてくる、マスタードとケチャップを内包した付属の割れ目・割り出し用パック容器の、フイルム袋素材を蛍光色に換え、その中に、潤滑ゼリー剤を内包させることを特徴とする、蛍光パックｉｎ潤滑ゼリー剤（１回分）。
【考案の詳細な説明】
【技術分野】
【０００１】本考案は、小分け・１回使い切り仕様として、蛍光パック内に、内包させた、潤滑ジェリー剤に関するものである。
【背景技術】
【０００２】キャップ付きのチューブ容器や、アルミパック袋に内包された潤滑ジェリー剤は、存していた。
【先行技術文献】
【非特許文献】
【０００３】インターネット・ショッピングモール内、キーワード検索「潤滑ゼリー」「ローション」若しくは、カテゴリー検索「バースコントロール・コンドーム」頁（ドラッグストア・衛生用品頁）
【考案の概要】
【考案が解決しようとする課題】
【０００４】従前品の潤滑ゼリー剤は、大容量のチューブ容器に内包されていて経済的負担も大きく、保管をする際に、スペースも要求される。更に、購入時の選定のしずらさや、ショッピングカートへの入れずらさを暗示させ、携帯移動時には労働的負担と隠しずらさを伴う心理的負担もつきまとう。
特に、初見ユーザーの引き込みや、ライトユーザーを定着ヘビーユーザーへと導く際に、これらの各種負担に因り、敷居を高くし、購入・使用動機の足かせにも成り得る。
従って、なるたけ、パッケージ容器の最小型化を図り、且つ、見映えもスマート化させ、用途も暗示させず、保管時にも目印化をさせ、欲しい時、使いたい時にも、悠然と取り出せ、使い切れることが可能になり、前述の負担を軽減化、解決をしようとするものである。
【課題を解決するための手段】
【０００５】本考案は、コンビニエンスストアなどで販売されているビッグフランクソーセージに、付着させるマスタードならびにケチャップを内包する、小型パック容器を蛍光色化をさせ、その中に、潤滑ゼリー剤を内包させることにより、簡単に割れ、ピンポイントに、要部、恥部を濡らせられ、使用後、空容器と成った後も、粗大廃棄物としての煩わらしさからも解放され、購入から保管、携帯から使用、そして廃棄迄のサイクルを短くさせ、従前迄の各種負担的要素を軽減化させストレスフリー化を図っている。
【考案の効果】
【０００６】上述のように、本考案の蛍光パックｉｎ潤滑ゼリー剤は、隠し持てる、手のひらの内に収まる小型パッケージ容器に加え、使い出しも、従前品のチューブ容器のキャップを回して外す、そして締める、同じく従前品の分包アルミパックを、切れ込み線に沿って破くといったタイムラグや労働的負担を回避でき、簡単に、親指と人指し指で、中身を割り出せ、使用後も小さなゴミとして収まる為、購入前、使用中、使用後に想定される、あらゆる負担、煩わしさから解放されることに因り、逆に従前以上に、購入動機、使用動機を増幅させ、それに相乗した効果としては、目印となる蛍光色が、紛失も防備でき、リラクゼーション的なインテリア装飾要素としての発展も希め、究極は、少子化対策やセックスレス対策にも違和感無くスムージーに寄与することも目論見れる。
【図面の簡単な説明】
【０００７】
【図１】本考案の蛍光パックｉｎ潤滑ゼリー剤の使用例を示す正面（側面）図である。
【図２】本考案の上面図である。
【図３】本考案の下面図である。
【考案を実施するための形態】
【０００８】容器の割り出し口面の両端を、親指と人指し指で固定させ割り出し中央部（ライン）が、外側に織り出されるように両指に力を加え、中身の潤滑ゼリー剤を放出、濡らしたい体の部位へ、一気に充てがい潤わせる。終えた後は、目印になる蛍光色の空き容器を廃棄物にする。
【実施例】
【０００９】以下、添付図面に従って一実施例を説明する。
１．蛍光色のパックの２．割れ目から、内包された３．潤滑ゼリー剤を、外に出す為に、４．両端の指で力を伝えるポイントを掴み、割れ目から割り出されるように、５．プラスチック板を中央で折るように力を加え、流れ出てくる潤滑ゼリー剤を、潤わせたい体の部位に向け、一気に押し流し濡らす。
【符号の説明】
【００１０】１．蛍光色のパック（アウトライン・外を覆う素材）
２．割れ目
３．潤滑ゼリー剤（内包）
４．指で力を伝えるポイント（両端）
５．プラスチック板（底面）
【図１】
0003208940.tif 000003
【図２】
0003208940.tif 000004
【図３】
0003208940.tif 000005
【手続補正書】
【提出日】平成28年11月21日(2016.11.21)
【手続補正１】
【補正対象書類名】実用新案登録請求の範囲
【補正対象項目名】全文
【補正方法】変更
【補正の内容】
【実用新案登録請求の範囲】
【請求項１】
中央に割れ目・割れ点線入りの、プラスチック板上に、同容量・同容積の蛍光色パックが、左右対称にドッキングされた、ディスペンパック容器の中に、潤滑ゼリー剤を内包させ、プラスチック板の割れ目・出し口を下に向けて、２つに折り曲げ絞ると中身が出る、小分け１回使用分・簡便志向型・携帯用ミニタイプの潤滑ゼリー剤。
(57)【要約】      （修正有）【課題】本考案は包丁のサイズを選ばず収納できる包丁差しを提供する。【解決手段】この包丁差しは挿入口１が一直線上に繋がっており、幅のサイズを２種類設け、大きさが分かれていることを特徴とする。【選択図】図７
0003208935.tif 000002
【実用新案登録請求の範囲】
【請求項１】
差し込み口が一直線上に繋がり異なった幅を持たせた形を特徴とする包丁差し
【請求項２】
当該包丁差しは、壁掛けにも対応する特徴を持った包丁差し
【考案の詳細な説明】
【技術分野】
【０００１】本考案は包丁差しに関するものである。
【背景技術】
【０００２】今日において飲食店の厨房やキッチンで使用される従来の包丁差しは挿入口の幅によって包丁の種類及び大きさによって入るもの、入らないものがあった。
【考案の概要】
【考案が解決しようとする課題】
【０００３】従来の包丁差しは挿入口の幅が同一で包丁の種類及びサイズによって入るもの、入らないものがあったあり、その問題を解決するために構造は簡単かつ衛生的な包丁のサイズを選ばない挿入口を搭載した包丁差しを実現する。
【課題を解決するための手段】
【０００４】挿入口を一直線上に繋げ挿入口に対して２種類の幅を設け大きさを分ける
【考案の効果】
【０００５】本考案によれば挿入口のサイズを２箇所設けることで小さなサイズの包丁から大きなサイズの包丁まで挿入することができる。【０００６】また、一直線上に挿入口が繋がっていることから挿入箇所を選ばない
【図面の簡単な説明】
【０００７】
【図１】本考案の構造を表す正面図である
【図２】本考案の構造を表す背面図である
【図３】本考案の構造を表す右側面図である
【図４】本考案の構造を表す左側面図である
【図５】本考案の構造を表す平面図である
【図６】本考案の構造を表す底面図である
【図７】本考案の全体の構造を表す斜面図である
【考案を実施するための形態】
【００８】以下に、図面を参照して、本願に係る発明を実施するための形態について説明する。かかる実施形態に示す寸法、材料、その他具体的な数値などは、発明の理解を容易とするための例示に過ぎず、特に断る場合を除き、本発明を限定するものではない。
【００９】図１は包丁差しの正面図である。図１に示すように壁掛けに付ける際のねじ穴４を正面に用意しており、正面からドライバー等でネジを取り付けることができる構造である。
【００１０】また図２に示すように背面側に壁掛け用のネジ穴５が設けてあり、壁にネジを取り付け壁に掛けることができる。
【００１１】さらに取り付けフックの溝６にフックを差し込み包丁差しを掛けることもできる。
【００１２】図７は包丁差し全体を示す図であり図７で示す挿入口１は一直線上に挿入口が繋がっており幅のサイズが異なっている。挿入口枠２はゴム素材でできているため包丁の刃にやさしい構造である。
【００１３】続いて差込面のビス止め箇所４を外すことにより挿入口枠２を外せるため洗浄や部品の入れ替えなどメンテナンスが簡単にできる構造である。
【産業上の利用可能性】
【００１３】本発明は、利便性が高く業務用、家庭用ともに幅広く利用することができる。
【符号の説明】
【００１４】１  挿入口
２  挿入口枠
３  ネジ穴
４  差込面のビス止め箇所
５  壁掛けの為のねじ穴
６  取り付けフックの溝
【図１】
0003208935.tif 000003
【図２】
0003208935.tif 000004
【図３】
0003208935.tif 000005
【図４】
0003208935.tif 000006
【図５】
0003208935.tif 000007
【図６】
0003208935.tif 000008
【図７】
0003208935.tif 000009
【手続補正書】
【提出日】平成28年11月21日(2016.11.21)
【手続補正１】
【補正対象書類名】実用新案登録請求の範囲
【補正対象項目名】全文
【補正方法】変更
【補正の内容】
【実用新案登録請求の範囲】
【請求項１】
差し込み口が一直線上に繋がり異なった幅を持たせた形を特徴とする包丁差し